(57)【要約】【課題】本発明のつらら防止機能付雨樋は、折板屋根の軒下側に取り付けられる軒樋に雪解け水が凍結して氷柱を形成する既存の軒樋に代えて、折板屋根の軒先を覆い包むように改良施工ができる。【解決手段】本発明のつらら防止機能付雨樋は、屋根傾斜方向に沿って折板屋根の山部上に固定された取付支持板と、該取付支持板の突出先端に桁行き方向に沿って固定された略Ｖ字状の雨樋カバーと、該雨樋カバーの内底部に桁行き方向に沿って延設したヒーターと、前記雨樋カバーと家屋壁面との間の折板屋根の軒下裏を覆って断熱する上げ裏用断熱材と、前記折板屋根の軒先及び前記雨樋カバーの上部開口を桁行き方向に沿って被うポリカ板製屋根カバーと、前記雨樋カバーの略Ｖ字状内面上部と折板屋根の谷部との間に掛渡した塩ビシート製樋カバーとから構成され、前記樋カバーにより前記雨樋カバーと前記折板屋根の谷部との隙間を塞ぐようにしたものである。【選択図】図１
2008169629.tif 000002
【特許請求の範囲】
【請求項１】
折板屋根の軒先から突出するように屋根傾斜方向に沿って折板屋根の山部上に固定された取付支持板と、該取付支持板の突出先端に桁行き方向に沿って排水用長樋となるように固定された略Ｖ字状の雨樋カバーと、該雨樋カバーの内底部に桁行き方向に沿って延設したヒーターと、前記雨樋カバーと家屋壁面との間の折板屋根の軒下裏を覆って断熱する上げ裏用断熱材と、前記折板屋根の軒先及び前記雨樋カバーの上部開口を桁行き方向に沿って被うポリカ板製屋根カバーと、前記雨樋カバーの略Ｖ字状内面上部と折板屋根の谷部との間に掛渡した塩ビシート製樋カバーとから構成され、前記樋カバーにより前記雨樋カバーと前記折板屋根の谷部との隙間を塞ぐようにしたことを特徴とするつらら防止機能付雨樋。
【請求項２】
前記雨樋カバーは、２分割された上部雨樋構造と下部雨樋構造とから組み立てられることを特徴とする請求項１記載のつらら防止機能付雨樋。
【請求項３】
前記雨樋カバーは、長方形のガルバリュームの長手方向端部を折板屋根の山部に固定された取付支持片に重なるように折り曲げた上部係合片と該上部係合片から所定間隔を空けて下方に延びた長辺側壁と該長辺側壁の下端から前記上部係合片と同方向へ折り曲げた下部係合片を形成した下部雨樋構造と、長方形の塩ビ鋼板の長手方向端部を内側に直角に折り曲げて上部取付片を形成し、該上部取付片から下方へ所定間隔を空けて長辺側壁を形成し、引き続きＶ字状に折り曲げて底部を形成し、更に水平に上部取付片と同方向に折り曲げて下部取付片を形成した下部雨樋構造とからなることを特徴とする請求項２記載のつらら防止機能付雨樋。
【発明の詳細な説明】
【技術分野】
【０００１】
本発明は、折板屋根の軒先に取り付けられる雨樋に関し、特に雪解け水が凍結して雨樋に氷柱を形成しないように折板屋根の軒先を覆い包むようにしたつらら防止機能付雨樋に関する。
【背景技術】
【０００２】
従来、雪国では折板屋根の軒先に軒樋が取り付けられるが、軒先に取り付けられる軒樋が屋根を滑り落ちる雪により破壊されることがないように軒下側に取り付けられる。
軒樋が軒下側に取り付けられるため、折板屋根の谷間底部に排水孔を設けて雨水を軒樋に集水するようになっている。
この構造であると、冬期に雪解け水が凍って排水孔を塞ぎ、該排水孔を越えて軒先から氷柱が垂れ下がって落下事故原因となり危険であった。
これを防止するため、折板屋根の軒先を覆い包むように形成された折板屋根用軒樋が公知となっている（特許文献１を参照）。
上記公知技術は、桁行き方向へ連続する水路空間を確保すると共に折板屋根の軒先を覆い包むべく形成された本体部と、側方から折板屋根の軒先を挿入すべく形成されると共に前記水路空間に連通した取付開口部とを備え、前記取付開口部は折板屋根の上面に止着される開口上縁部と、同折板屋根の下面に止着される開口下縁部とを有し、前記開口上縁部には上方へ立ち上がると共に桁行き方向へわたる雪止部が形成されている折板屋根用軒樋である。
またその他に、本出願人が開発した軒樋に接続した垂直排水管の凍結を防止するドレンパイプヒーターが公知となっている（特許文献２を参照）。
【特許文献１】特開２００２‐２２７３５５号公報
【特許文献２】実用新案登録第３０８９０８１号公報
【発明の開示】
【発明が解決しようとする課題】
【０００３】
本発明は、折板屋根の軒下側に取り付けられる軒樋に雪解け水が凍結して氷柱を形成する既存の軒樋に代えて、折板屋根の軒先を覆い包むように改良施工ができるつらら防止機能付雨樋を得ることを目的とする。
【課題を解決するための手段】
【０００４】
本発明のつらら防止機能付雨樋は、折板屋根の軒先から突出するように屋根傾斜方向に沿って折板屋根の山部上に固定された取付支持板と、該取付支持板の突出先端に桁行き方向に沿って排水用長樋となるように固定された略Ｖ字状の雨樋カバーと、該雨樋カバーの内底部に桁行き方向に沿って延設したヒーターと、前記雨樋カバーと家屋壁面との間の折板屋根の軒下裏を覆って断熱する上げ裏用断熱材と、前記折板屋根の軒先及び前記雨樋カバーの上部開口を桁行き方向に沿って被うポリカ板製屋根カバーと、前記雨樋カバーの略Ｖ字状内面上部と折板屋根の谷部との間に掛渡した塩ビシート製樋カバーとから構成され、前記樋カバーにより前記雨樋カバーと前記折板屋根の谷部との隙間を塞ぐようにしたものである。
また、前記雨樋カバーは、２分割された上部雨樋構造と下部雨樋構造とから組み立てられ、長方形のガルバリュームの長手方向端部を折板屋根の山部に固定された取付支持片に重なるように折り曲げた上部係合片と該上部係合片から所定間隔を空けて下方に延びた長辺側壁と該長辺側壁の下端から前記上部係合片と同方向へ折り曲げた下部係合片を形成した下部雨樋構造と、長方形の塩ビ鋼板の長手方向端部を内側に直角に折り曲げて上部取付片を形成し、該上部取付片から下方へ所定間隔を空けて長辺側壁を形成し、引き続きＶ字状に折り曲げて底部を形成し、更に水平に上部取付片と同方向に折り曲げて下部取付片を形成した下部雨樋構造とからなる。
【発明の効果】
【０００５】
本発明のつらら防止機能付雨樋は、雨樋カバーの略Ｖ字状内面上部と折板屋根の軒先との間には塩ビシート製樋カバーを掛渡して前記雨樋カバーと前記折板屋根の軒先との隙間を塞ぐようにしたため、折板屋根から雨樋カバーに至るまでの水の流れを連続的にし、水が止まることがないようにして、折板屋根の軒先に氷柱が形成されるのを防止できる。
さらに、前記折板屋根から雨樋カバーに至るまで連続して流れた水が雨樋カバーのＶ字の頂部に溜まり、その溜まりの部分にヒーターを設置するので、より凍結を防ぐことができる。
また、前記雨樋カバーは、２分割された上部雨樋構造と下部雨樋構造とから組み立てられるため、取付施工が簡便かつ効率的になる。
【発明を実施するための最良の形態】
【０００６】
本発明のつらら防止機能付雨樋の一実施例を図面に基づいて、以下に説明する。
本発明のつらら防止機能付雨樋は、図１の全体斜視図及び図２の断面図に示すように、折板屋根１の軒先から突出するように屋根傾斜方向に沿って所定間隔で折板屋根の山部２上に固定された細幅板状の取付支持板３と、該取付支持板３の突出先端に桁行き方向に沿って排水用長樋となるように固定された略Ｖ字状の雨樋カバー４と、該雨樋カバーの内底部に桁行き方向に沿って延設された線状のヒーター５と、前記雨樋カバー４と家屋壁面６との間の折板屋根１の軒下裏を覆って断熱する上げ裏用断熱材７と、前記折板屋根１の軒先及び前記雨樋カバー４の上部開口を桁行き方向に沿って被う平板状のポリカ板製屋根カバー８と、前記雨樋カバー８の略Ｖ字状内面上部と折板屋根の谷部９との間に掛渡した可撓性の塩ビシート製樋カバー１０とから構成される。
なお、前記雨樋カバー４の適宜位置には集水した雨水を排水する傾斜排水管１１が接続される。
【０００７】
図２の断面図に示すように、前記雨樋カバー４は、２分割された上部雨樋構造と下部雨樋構造とから組み立てられ、長方形のガルバリュームの長手方向端部を折板屋根の山部２に固定された取付支持片３に重なるように折り曲げた上部係合片１２と該上部係合片１２から所定間隔を空けて下方に延びた長辺側壁１３と該長辺側壁１３の下端から前記上部係合片１２と同方向へ折り曲げた下部係合片１４を形成した下部雨樋構造と、長方形の塩ビ鋼板の長手方向端部を内側に直角に折り曲げて上部取付片１５を形成し、該上部取付片１５から下方へ所定間隔を空けて長辺側壁１６を形成し、引き続きＶ字状に折り曲げて底部１７を形成し、更に水平に上部取付片１５と同方向に折り曲げて下部取付片１８を形成した下部雨樋構造とからなる。
そして、前記上部係合片１２には前記取付支持板３に固定するためのボルト挿入穴とボルトをそれぞれ複数個設け、さらに前記下部取付片１４と前記上部取付片１５には両者を固定するためのボルト挿入穴（図示せず）を配設し、前記下部取付片１８により前記上げ裏用断熱材７を挟み、前記取付支持板３と一体に連結するための貫通ボルト１９を設ける。
【０００８】
図１及び図２に示す前記樋カバー１０は可撓性を有する塩ビシートから形成され、前記雨樋カバー４の略Ｖ字状内面上部と折板屋根１の谷部９との間に掛渡して、前記雨樋カバー４と前記折板屋根の谷部９との隙間を塞ぐようにしたものである。
このように、前記樋カバー１０は前記雨樋カバー４と前記折板屋根１の谷部９との隙間を塞ぐようにしたため、折板屋根１から雨樋カバー４に至るまでの水の流れを連続的にし水が止まることがないようにして、折板屋根１の軒先に氷柱が形成されるのを防止できる。
【０００９】
次に、本発明のつらら防止機能付雨樋の組立施工について、以下に図面に基づいて説明する。
先ず、最初に折板屋根１の軒先下部に設けた既存の角樋（図示せず）を撤去し、図２に示すように、折板屋根１の谷部９と雨樋カバー４との間に樋カバー１０を掛渡し、家屋壁面６に取付アングル２０を取り付け、さらに前記折板屋根１の谷部９下面に上げ裏用断熱材７を当てて塞ぎ、折板屋根１の軒先下部を寒風に曝されるのを防ぐ。
そして、前記折板屋根１の山部２に固定した取付支持板３の先端に雨樋カバー４の上部雨樋構造の上部係合片１２を取付け、前記折板屋根１の軒先及び前記雨樋カバー４の上部開口を桁行き方向に沿って屋根カバー８で被い、ボルトにより前記屋根カバー８と取付支持板３とを前記折板屋根１の山部２に固定し、その後、下部取付片１４と上部取付片１５を重ね合わせて両者をボルトで固定して上部雨樋部材と下部雨樋部材を連結し、下部取付片１８により前記上げ裏用断熱材７を挟み、前記上部係合片１２と前記取付支持板３と前記屋根カバー８とをボルトナットで共締め固定すると共に、前記下部取付片１８と前記取付支持板３と前記屋根カバー８とに貫通ボルト１９を貫通して上げ裏用断熱材７を一体に固定する。
したがって、屋根カバー６と折板屋根１の谷部９との間には断面Ｖ字形の温風通路の空間が形成される。
寒冷時には、前記雨樋カバー４の底部１７に延設されたヒーター５からの暖気が、前記雨樋カバー４と屋根カバー８の間の上方空間を通り、屋根カバー８で覆われた断面Ｖ字形の温風通路の空間を通って、折板屋根１の軒先を暖める。
このようにして暖めることにより、前記折板屋根１から雨樋カバー４に至るまでの水の流れを連続的にし水が止まることがないようにして、前記雨樋カバー４と前記折板屋根１の谷部９との隙間を前記樋カバー１０で塞ぐようにしたため、折板屋根１の軒先に氷柱が形成されるのを防止することができる。
【図面の簡単な説明】
【００１０】
【図１】本発明のつらら防止機能付雨樋の全体斜視図である。
【図２】本発明のつらら防止機能付雨樋の断面図である。
【符号の説明】
【００１１】
１  折板屋根
２  山部
３  取付支持板
４  雨樋カバー
５  ヒーター
６  壁面
７  上げ裏用断熱材
８  屋根カバー
９  谷部
１０  樋カバー
１１  傾斜排水管
１２  上部係合片
１３  長辺側壁
１４  下部係合片
１５  上部取付片
１６  長辺側壁
１７  底部
１８  下部取付片
１９  貫通ボルト
２０  取付アングル
【図１】
2008169629.tif 000003
【図２】
2008169629.tif 000004